(57)【特許請求の範囲】
【請求項１】
ヒータによって加熱されるベースと、前記ベースに形成した気化室と、前記ベースの上方に配置した水タンクと、握り部を有した把手と、前記水タンクから気化室への水の供給を制御する開閉装置と、前記開閉装置を動作させる第１の操作体と、前記開閉装置に近接して前記水タンクに設けた増量スチームを発生させるポンプ装置と、前記ポンプ装置を動作させる第２の操作体と、前記第１および第２の操作体を嵌入する開口部と、前記第１および第２の操作体の上部に設けた操作部とを具備し、アイロンの前部を前下がりに傾斜させるとともに、前記第１および第２の操作体を前記水タンクの上面に握り部の幅方向に近接して配設し、前記操作部は、所定の上下動ストロークを確保するように前記第１および第２の操作体より各々前方へ突出させ、前記操作部の面積を前記開口部の開口面積より大に設定したアイロン。
【請求項２】
第１および第２の操作体に係止部を設け、前記係止部を内方へ変位させて開口部に外側から嵌入するようにした請求項１記載のアイロン。
【請求項３】
係止部の側方に切り欠きを設けた請求項２記載のアイロン。
【請求項４】
開閉装置の上部に連係して同開閉装置を上下方向の所定の位置に保持する回転体を有し、操作体に前記回転体を押圧する複数の爪部を設けるとともに、前記爪部の間に係止部を設けた請求項２記載のアイロン。
【発明の詳細な説明】
【０００１】
【発明の属する技術分野】
本発明は衣類等のしわ伸ばしを行うアイロンに関するものである。
【０００２】
【従来の技術】
従来、この種のアイロンは、図８に示すように構成されていた。以下、その構成について説明する。
【０００３】
図において、ヒータ２４を有するベース２５に気化室２６を形成し、ベース２５の上方に水タンク２７を配置し、この水タンク２７内の水をノズル２８を通して気化室２６に供給するようにしている。そして、ノズル２８の孔部２９を開閉する開閉桿３０を第１の操作体３１の押圧操作により上下動させて、気化室２６への水の供給と停止を制御していた。第１の操作体３１は、その押圧操作により回転する回転体３２を備え、この回転体３２は係合するカム３３により回転しながら上下方向に変位し、開閉桿３０を上昇させてノズル２８の孔部２９を開く位置と、開閉桿３０を下降させてノズル２８の孔部２９を閉じる位置に保持するように構成してあり、第１の操作体３１は、水タンク２７に設けた開口部３４に内側から嵌入して外方へ突出するように組み込まれている。
【０００４】
また、一度に多量の水を気化室２６内に送り込むポンプ装置３５を構成する場合は、前記開閉桿３０の近傍にポンプ装置３５用のシリンダ３５ａを設け、このポンプ装置３５を駆動させる第２の操作体３６を水タンク２７に設けた開口部３７に内側から嵌入して外方へ突出するようにしていた。
【０００５】
【発明が解決しようとする課題】
しかしながら、このような従来の構成では、衣類等のアイロンがけを行い、スチームを噴出させてしわ伸ばしを行う際に、第１の操作体３１によりスチームの噴出と停止の操作を行うが、第１の操作体３１の形状はカム３３の径によって必然的に決定されることから、第１の操作体３１を操作のし易い大きさに大型化することができないという問題があった。また、第１の操作体３１と第２の操作体３６の両方を具備した場合は、水タンク２７の限られた上面の狭いスペースに幅方向に前記２つの操作体３１、３６を並べて設ける必要があるため、それぞれの操作体３１、３６の形状は小さなものとなり、かつ、近接して配設されるため、操作が行いにくいものであった。
【０００６】
そして、ノズル２８を開閉する第１の操作体３１は、ばね３８によって常時上方へ付勢されており、ノズル２８を閉じるときは、ばね３９の上方への付勢力に抗して開閉桿３０を下方へ押し下げ、さらに、ばね３８を圧縮して回転体３２をカム３３に係合させ、開閉桿３０の下端でノズル２８を閉じた状態に保持する。したがって、開閉桿３０は所定の付勢力によってノズル２８を閉じた状態に保持されている。ノズル２８を開くときは、ばね３８の付勢力に抗してさらに第１の操作体３１を押圧することによって回転体３２を回転させ、カム３３に係合してノズル２８を開いた状態に保持する。
【０００７】
一方、第２の操作体３６は、ポンプ装置３５のシリンダ３５ａ内の水を加圧して気化室２６へ供給するもので、第２の操作体３６を繰り返し押圧して操作するもので、このような第１の操作体３１および第２の操作体３６は、アイロンがけ作業中は頻繁に操作されるものであることから、指先で所定の押圧力を加える操作を小型の釦で行う必要があり、使い勝手の悪いものであった。
【０００８】
本発明は上記課題を解決するもので、スチームの噴出と停止の操作が容易に行えるようにして使い勝手をよくすることを目的としている。
【０００９】
【課題を解決するための手段】
本発明は上記目的を達成するために、水タンクから気化室への水の供給を制御する開閉装置と、前記開閉装置を動作させる第１の操作体と、前記開閉装置に近接して前記水タンクに設けた増量スチームを発生させるポンプ装置と、前記ポンプ装置を動作させる第２の操作体と、前記第１および第２の操作体を嵌入する開口部と、前記第１および第２の操作体の上部に設けた操作部とを具備し、アイロンの前部を前下がりに傾斜させるとともに、前記第１および第２の操作体を前記水タンクの上面に握り部の幅方向に近接して配設し、前記操作部は、所定の上下動ストロークを確保するように前記第１および第２の操作体より各々前方へ突出させ、前記操作部の面積を前記開口部の開口面積より大に設定したものである。
【００１０】
これにより、操作部を大きく形成して指載せが容易に行えるようになり、操作性をよくして使い勝手を向上することができる。
【００１１】
【発明の実施の形態】
本発明の請求項１に記載の発明は、ヒータによって加熱されるベースと、前記ベースに形成した気化室と、前記ベースの上方に配置した水タンクと、握り部を有した把手と、前記水タンクから気化室への水の供給を制御する開閉装置と、前記開閉装置を動作させる第１の操作体と、前記開閉装置に近接して前記水タンクに設けた増量スチームを発生させるポンプ装置と、前記ポンプ装置を動作させる第２の操作体と、前記第１および第２の操作体を嵌入する開口部と、前記第１および第２の操作体の上部に設けた操作部とを具備し、アイロンの前部を前下がりに傾斜させるとともに、前記第１および第２の操作体を前記水タンクの上面に握り部の幅方向に近接して配設し、前記操作部は、所定の上下動ストロークを確保するように前記第１および第２の操作体より各々前方へ突出させ、前記操作部の面積を前記開口部の開口面積より大に設定したものであり、限られた小さなスペースに２つの操作体を近接させて配置した場合にも、操作体を押圧する操作部を大きく形成して指載せが容易に行えるようになり、各々の操作を的確に行うことができるとともに、前部を前下がりに傾斜させてアイロンがけ作業時の視認性をよくした場合でも、操作体の所定の上下動ストロークを確保することができる。
【００１２】
請求項２に記載の発明は、上記請求項１に記載の発明において、第１および第２の操作体に係止部を設け、前記係止部を内方へ変位させて開口部に外側から嵌入するようにしたものであり、操作体を設けるスペースが小さい場合でも、操作部の形状を使いやすい大きさに大型化することができるようになるとともに、操作体の組み立てを容易にすることができる。
【００１３】
請求項３に記載の発明は、上記請求項２に記載の発明において、係止部の側方に切り欠きを設けたものであり、係止部を容易に変位させることができ、開口部への嵌入をスムーズにして作業性をよくすることができる。
【００１４】
請求項４に記載の発明は、上記請求項２に記載の発明において、開閉装置の上部に連係して同開閉装置を上下方向の所定の位置に保持する回転体を有し、操作体に前記回転体を押圧する複数の爪部を設けるとともに、前記爪部の間に係止部を設けたものであり、操作体の押圧操作によって上下方向の所定の位置に操作体を保持することができるとともに、操作体の上昇規制を的確に行うことができる。
【００１５】
【実施例】
以下、本発明の実施例について、図面を参照して説明する。
【００１６】
（実施例１）
図１〜図３に示すように、１はヒータ２を埋設したベース、３は前記ベース１に形成した気化室で、蓋体３ａにより覆われている。４は前記ベース１の上方に配置した水タンクで、握り部５を有した把手６の下方もしくは前方に形成している。水タンク４の底部にはノズル部７が設けてあり、このノズル部７に形成した孔部７ａを、その同軸上に配置した開閉装置としての開閉桿８の上下動作により開閉する。
【００１７】
開閉桿８を上下動させる第１の操作体９は、ばね８ａによって上方へ付勢するように開閉桿８の上部に連係させた回転体１０と、この回転体１０をノズル部７の開または閉の各位置に保持するカム１１と相互に係合しており、この第１の操作体９の下部には、回転体１０に回転方向の変位を与える爪部１２と、カム１１の溝に嵌め合わせて上方への抜け防止を行う可撓性を有した係止部１３が設けてあり、その上部には第１の操作体９を押圧操作するための第１の操作部９ａを形成している。
【００１８】
９ｂは係止部１３の両側に設けた細長い溝状の切り欠きで、係止部１３から第１の操作部９ａ側へほぼ平行に所定量延設している。回転体１０は、水タンク４或いは把手６に設けたカム１１の溝に嵌合し、第１の操作体９の押圧操作により上下動しながら一方向へ回転するように構成してあり、ばね８ｂの上方への付勢力により開閉桿８を上昇させてノズル部７の孔部７ａを開いた状態と、ばね８ａおよびばね８ｂの上方への付勢力に抗して開閉桿８を下降し、ノズル部７の孔部７ａを閉じた状態に保持する。
【００１９】
１４は第１の操作体９を外方から嵌入する開口部で、複数の爪部１２の間に環状に設けた可撓性を有した複数の係止部１３を内方へ変位させて所定の位置まで押し下げると、開口部１４の内壁に係止して開口部１４から上方への脱離を防止する。この開口部１４は、水タンク４または把手６に形成している。
【００２０】
１５は気化室３へ一時的に多量の水を供給して増量スチームを発生させるポンプ装置で、このポンプ装置１５のシリンダ１５ａを開閉桿８に近接して水タンク４内に設け、シリンダ１５ａ内を上下に動作するパッキン１５ｂを保持するポンプ軸１５ｃを配設し、このポンプ軸１５ｃの上方に第２の操作体１６を係合してポンプ装置１５を動作させる。
【００２１】
第２の操作体１６は、上方への抜け防止のための可撓性を有した係止部１７が設けてあり、その上部には第２の操作体１６を押圧操作するための第２の操作部１６ａを形成している。第２の操作部１６ａは、第２の操作体１６から側方へ突出するように延設し、実質的に上面部分の面積を第２の操作体１６より大きくし、押圧し易いように大型化している。
【００２２】
１８は第２の操作体１６を外方から嵌入する開口部で、可撓性を有する係止部１７を内方へ変位させて所定の位置まで押し下げると、開口部１８の内壁に係止して開口部１８から上方への脱離を防止する。係止部１７の両側には、係止部１３と同様に細長い溝状の切り欠き（図示せず）を設けてあり、第２の操作体１６を開口部１８へ嵌入する際の係止部１７の変位を容易にしている。
【００２３】
ポンプ軸１５ｃは、ばね１５ｄによって上方へ付勢してあり、このばね１５ｄの付勢力に抗して第２の操作体１６の第２の操作部１６ａに指を載せ、上下に手動操作することで、第２の操作体１６とともにポンプ軸１５ｃが上下に動作し、水タンク４内の水をシリンダ１５ａ内に吸い込み、その水を気化室３へ供給して増量スチームを発生させる。
【００２４】
上記構成において動作を説明すると、アイロンがけをする場合、使用者はヒータ２によりベース１が熱せられた状態にてアイロンがけを開始し、布のしわを伸ばすために、必要に応じて第１の操作体９を操作してスチームを噴出させ、布に水分を吸収させてアイロンがけを行う。この第１の操作体９の上部に設けた第１の操作部９ａは、第１の操作体９から側方へ突出するように延設し、実質的に上面部分の面積は、第１の操作体９と、この第１の操作体９を通す開口部１４の開口面積より大きくし、押圧操作がし易いように大型化している。
【００２５】
そして、第１の操作体９の係止部１３を内方へ変位させて、第１の操作体９を開口部１４に外方から嵌入することにより、第１の操作部９ａの上面の面積は、第１の操作体９を開口部１４へ嵌入する部分の面積に関わらず、大きく設定できる。したがって、指で押す第１の操作部９ａの形状を使いやすい任意の大きさに広く形成することが可能となり、アイロンがけ作業中の頻繁なノズル部７の開閉を的確に行うとともに、操作を容易に行うことができる。また、ポンプ装置１５を動作させて増量スチームを発生させる場合も、第２の操作体１６の大型化した第２の操作部１６ａにより、アイロンがけ中の頻繁なポンプ装置１５の操作を容易に行うことができる。
【００２６】
そして、上記第１の操作体９と第２の操作体１６の２つの操作体を近接して配置する場合にも、第１の操作部９ａおよび第２の操作部１６ａの両方、もしくは、いずれか一方を大型化して操作性をよくすることができるとともに、任意の形状に設定することが可能となる。
【００２７】
（実施例２）
図４に示すように、第１の操作体１９、および、第２の操作体２０の上面部に操作部１９ａ、２０ａを設け、前記操作部１９ａ、２０ａを握り部５の幅方向に外側へ突出するように延設したものである。他の構成は実施例１と同じである。
【００２８】
上記構成によれば、操作体１９、２０を押圧する操作部１９ａ、２０ａを相互に離れる方向へ任意の大きさに突出させて大きく形成することができる。したがって、操作時の指載せが容易に行えるようになり、他方の操作部に触れることなく各々の操作を的確に行うことができる。なお、操作部１９ａ、２０ａのいずれか一方を、握り部５の幅方向に外側へ突出するように延設してもよい。
【００２９】
（実施例３）
図５に示すように、第１の操作体２１、および、第２の操作体２２の上面部に操作部２１ａ、２２ａを設け、前記操作部２１ａ、２２ａを、操作体２１、２２から握り部５に近づく方向へ突出するように延設したものである。他の構成は実施例１と同じである。
【００３０】
上記構成によれば、操作体２１、２２から操作部２１ａ、２２ａを突出させて把手の握り部５に近づけることができ、握り部５を握った状態で操作部２１ａ、２２ａを容易に押圧することができる。
【００３１】
（実施例４）
図６および図７に示すように、第１の操作体２３、および、第２の操作体２４の上面部に操作部２３ａ、２４ａを設け、前記操作部２３ａ、２４ａを、握り部５から離れる方向、具体的には、第１の操作体２３および第２の操作体２４から各々前方へ突出するように延設したものである。他の構成は実施例１と同じである。
【００３２】
上記構成によれば、第１の操作体２３および第２の操作体２４の上面に、それより広い面積の操作部２３ａ、２４ａを形成することができるとともに、アイロンの前部を前下がりに傾斜させてアイロンがけ作業時の視認性をよくした構成とした場合でも、操作部２３ａ、２４ａが下降時に前下がりに傾斜したアイロンの前部に当接することがなく、操作体２３、２４の所定の上下動ストロークを確保することができ、ノズル７の開閉またはポンプ装置、またはその両方の動作を的確に行うことができる。
【００３３】
【発明の効果】
以上のように本発明の請求項１に記載の発明によれば、ヒータによって加熱されるベースと、前記ベースに形成した気化室と、前記ベースの上方に配置した水タンクと、握り部を有した把手と、前記水タンクから気化室への水の供給を制御する開閉装置と、前記開閉装置を動作させる第１の操作体と、前記開閉装置に近接して前記水タンクに設けた増量スチームを発生させるポンプ装置と、前記ポンプ装置を動作させる第２の操作体と、前記第１および第２の操作体を嵌入する開口部と、前記第１および第２の操作体の上部に設けた操作部とを具備し、アイロンの前部を前下がりに傾斜させるとともに、前記第１および第２の操作体を前記水タンクの上面に握り部の幅方向に近接して配設し、前記操作部は、所定の上下動ストロークを確保するように前記第１および第２の操作体より各々前方へ突出させ、前記操作部の面積を前記開口部の開口面積より大に設定したから、限られた小さなスペースに２つの操作体を近接させて配置した場合にも、操作体を押圧する操作部を大きく形成して指載せが容易に行えるようになり、各々の操作を的確に行うことができるとともに、前部を前下がりに傾斜させてアイロンがけ作業時の視認性をよくした場合でも、操作体の所定の上下動ストロークを確保することができる。
【００３４】
また、請求項２に記載の発明によれば、第１および第２の操作体に係止部を設け、前記係止部を内方へ変位させて開口部に外側から嵌入するようにしたから、小型の操作体に使いやすい大きさに大型化した操作部を形成することができるとともに、操作体を外側から容易に組み立てることができる。
【００３５】
また、請求項３に記載の発明によれば、係止部の側方に切り欠きを設けたから、係止部を容易に変位させることができ、開口部への嵌入をスムーズにして組み立て時の作業性をよくすることができる。
【００３６】
また、請求項４に記載の発明によれば、開閉装置の上部に連係して同開閉装置を上下方向の所定の位置に保持する回転体を有し、操作体に前記回転体を押圧する複数の爪部を設けるとともに、前記爪部の間に係止部を設けたから、操作体の押圧操作によって上下方向の所定の位置に操作体を保持することができるとともに、操作体の上昇規制を的確に行うことができる。
【図面の簡単な説明】
【図１】  本発明の実施例１のアイロンの断面図
【図２】  同アイロンの一部切欠上面図
【図３】  同アイロンの操作体の拡大側面図
【図４】  本発明の実施例２のアイロンの一部切欠上面図
【図５】  本発明の実施例３のアイロンの一部切欠上面図
【図６】  本発明の実施例４のアイロンの一部切欠上面図
【図７】  同アイロンの一部切欠側面図
【図８】  従来のアイロンの断面図
【符号の説明】
１  ベース
２  ヒータ
３  気化室
４  水タンク
５  握り部
６  把手
８  開閉桿（開閉装置）
９  操作体
９ａ  操作部
１４  開口部
【図１】
0003656577.tif 000002
【図２】
0003656577.tif 000003
【図３】
0003656577.tif 000004
【図４】
0003656577.tif 000005
【図５】
0003656577.tif 000006
【図６】
0003656577.tif 000007
【図７】
0003656577.tif 000008
【図８】
0003656577.tif 000009